(57)【要約】【課題】コネクタのメーカは、コネクタ繋ぎモジュールを変更するだけで、相違する組合の組合せ式コネクタを構成することができる組合せ式コネクタを提供することにある。【解決手段】複数の第１端子を有する第１コネクタと、第１コネクタに組合せるためのものであり、第１端子を収容する端子組合溝が設けられる組付子と、組付子に組み付けられる繋ぎ子と、を備え、繋ぎ子は複数の繋ぎ端子を含み、繋ぎ端子に繋ぎ部が設けられ、繋ぎ部は、端子組合溝に収容され、端子組合溝内に第１端子と電気的に連接する。【選択図】図２
0003159323.tif 000002
【実用新案登録請求の範囲】
【請求項１】
複数の第１端子を有する第１コネクタと、
前記第１コネクタに組合せるためのものであり、前記第１端子を収容する端子組合溝が設けられる組付子と、
前記組付子に組み付けられる繋ぎ子と、
を備え、
前記繋ぎ子は複数の繋ぎ端子を含み、前記繋ぎ端子に繋ぎ部が設けられ、前記繋ぎ部は、前記端子組合溝に収容され、前記端子組合溝内に前記第１端子と電気的に連接することを特徴とする組合せ式コネクタ。
【請求項２】
前記組付子と前記繋ぎ子は一体成形されたものであることを特徴とする請求項１に記載の組合せ式コネクタ。
【請求項３】
前記組付子には、組合頂面が設けられ、前記組合頂面には、第１組合溝が設けられ、前記第１組合溝には、前記第１コネクタが収容されることを特徴とする請求項１に記載の組合せ式コネクタ。
【請求項４】
前記第１組合溝の底面には、第１係り溝が設けられ、前記第１コネクタは、前記第１係り溝と係合する溶接端子を含むことを特徴とする請求項３に記載の組合せ式コネクタ。
【請求項５】
前記端子組合溝は、前記第１組合溝の底面に設けられることを特徴とする請求項３に記載の組合せ式コネクタ。
【請求項６】
前記端子組合溝は前記第１組合溝と連通することを特徴とする請求項３に記載の組合せ式コネクタ。
【請求項７】
前記組付子に組合底面が設けられ、前記組合底面に第２組合溝が設けられ、前記繋ぎ子は前記第２組合溝に収容されることを特徴とする請求項１に記載の組合せ式コネクタ。
【請求項８】
前記端子組合溝は前記第１組合溝と連通することを特徴とする請求項７に記載の組合せ式コネクタ。
【請求項９】
前記組合底面に第１定位溝が設けられ、前記繋ぎ子には、前記第１定位溝と係合する第１定位ブロックが設けられることを特徴とする請求項７に記載の組合せ式コネクタ。
【請求項１０】
前記組付子に組合底面が設けられ、前記組合底面に第３組合溝が設けられることを特徴とする請求項１に記載の組合せ式コネクタ。
【請求項１１】
更に、前記第３組合溝に収容される第２コネクタを含むことを特徴とする請求項１０に記載の組合せ式コネクタ。
【請求項１２】
前記組合底面に規制溝が設けられ、前記第２コネクタには、前記規制溝と係合する規制ブロックが設けられることを特徴とする請求項１１に記載の組合せ式コネクタ。
【請求項１３】
更に、前記繋ぎ子に組合われる第２コネクタを含むことを特徴とする請求項１に記載の組合せ式コネクタ。
【請求項１４】
これらの前記繋ぎ端子は、複数の第１繋ぎ端子と、複数の第２繋ぎ端子と、を含み、
前記複数の第１繋ぎ端子は、それぞれ第１繋ぎ部と第１溶接部の間に設けられ、
前記複数の第２繋ぎ端子は、これらの前記第１繋ぎ端子と交錯に配設され、これらの前記第２繋ぎ端子には、第２繋ぎ部と、第２溶接部と、がそれぞれ設けられ、
これらの前記第１繋ぎ部とこれらの前記第２繋ぎ部は、それぞれこれらの前記第１端子と電気的に連接し、これらの前記第１溶接部が第１経路に沿って配設され、これらの前記第２溶接部が第２経路に沿って配設され、前記第１経路と前記第２経路は互いに離間することを特徴とする請求項１に記載の組合せ式コネクタ。
【請求項１５】
これらの前記第１繋ぎ部とこれらの前記第２繋ぎ部は、同じ直線に沿って配設されることを特徴とする請求項１４に記載の組合せ式コネクタ。
【請求項１６】
これらの前記繋ぎ端子は、複数の第１繋ぎ端子と、複数の第２繋ぎ端子と、複数の第３繋ぎ端子と、を含み、
前記複数の第１繋ぎ端子は、それぞれ第１繋ぎ部と第１溶接部の間に設けられ、
前記複数の第２繋ぎ端子は、それぞれ第２繋ぎ部と第２溶接部の間に設けられ、
前記複数の第３繋ぎ端子は、これらの前記第１繋ぎ端子およびこれらの前記第２繋ぎ端子と交錯に配設され、これらの前記第３繋ぎ端子には、第３繋ぎ部と、第３溶接部と、がそれぞれ設けられ、
これらの前記第１繋ぎ部とこれらの前記第２繋ぎ部とこれらの前記第３繋ぎ部は、それぞれこれらの前記第１端子と電気的に連接し、これらの前記第１溶接部が第１経路に沿って配設され、これらの前記第２溶接部が第２経路に沿って配設され、これらの前記第３溶接部が第３経路に沿って配設され、前記第１経路と前記第２経路と前記第３経路は互いに離間することを特徴とする請求項１に記載の組合せ式コネクタ。
【請求項１７】
これらの前記第１繋ぎ部とこれらの前記第２繋ぎ部とこれらの前記第３繋ぎ部は、同じ直線に沿って配設されることを特徴とする請求項１６に記載の組合せ式コネクタ。
【請求項１８】
更に、金属ケースを含み、前記金属ケースは、前記第１コネクタと、前記コネクタ繋ぎモジュールと、を覆うことを特徴とする請求項１に記載の組合せ式コネクタ。
【請求項１９】
前記第１コネクタと前記第２コネクタを組合うためのものであり、組付子と、繋ぎ子と、を含み、前記第１コネクタは複数の第１端子を含むコネクタ繋ぎモジュールにおいて、  前記組付子は、前記第１コネクタに組合われ、これらの前記第１端子を収容する端子組合溝を有し、
前記繋ぎ子は、前記組付子に組合われ、複数の繋ぎ端子を有し、
前記繋ぎ端子に繋ぎ部が設けられ、前記繋ぎ部は、前記端子組合溝に収容され、前記第１端子と電気的に連接することを特徴とするコネクタ繋ぎモジュール。
【請求項２０】
前記組付子と前記繋ぎ子は一体成形されることを特徴とする請求項１９に記載のコネクタ繋ぎモジュール。
【請求項２１】
前記組付子に組合上面が設けられ、前記組合上面に第１組合溝が設けられ、前記第１コネクタは前記第１組合溝に収容されることを特徴とする請求項１９に記載のコネクタ繋ぎモジュール。
【請求項２２】
前記第１組合溝の底面に第１係り溝が設けられ、前記第１コネクタは、前記第１係り溝と係合する溶接端子を含むことを特徴とする請求項２１に記載のコネクタ繋ぎモジュール。
【請求項２３】
前記端子組合溝は、前記第１組合溝の底面に設けられることを特徴とする請求項２１に記載のコネクタ繋ぎモジュール。
【請求項２４】
前記端子組合溝は前記第１組合溝と連通することを特徴とする請求項２１に記載のコネクタ繋ぎモジュール。
【請求項２５】
前記組付子に組合底面が設けられ、前記組合底面に第２組合溝が設けられ、前記繋ぎ子は前記第２組合溝に収容されることを特徴とする請求項１９に記載のコネクタ繋ぎモジュール。
【請求項２６】
前記第２組合溝は前記端子組合溝と連通することを特徴とする請求項２５に記載のコネクタ繋ぎモジュール。
【請求項２７】
前記組合底面に第１定位溝が設けられ、前記繋ぎ子には、前記第１定位溝に収容される第１定位ブロックが設けられることを特徴とする請求項２５に記載のコネクタ繋ぎモジュール。
【請求項２８】
前記組付子に組合底面が設けられ、前記組合底面には、前記第２コネクタを収容する第３組合溝が設けられることを特徴とする請求項１９に記載のコネクタ繋ぎモジュール。
【請求項２９】
前記組合底面に規制溝が設けられ、前記第２コネクタには、前記規制溝に収容される規制ブロックが設けられることを特徴とする請求項２８に記載のコネクタ繋ぎモジュール。
【請求項３０】
これらの前記繋ぎ端子は、複数の第１繋ぎ端子と、複数の第２繋ぎ端子と、を含み、
前記複数の第１繋ぎ端子は、それぞれ第１繋ぎ部と第１溶接部の間に設けられ、
前記複数の第２繋ぎ端子は、これらの前記第１繋ぎ端子と交錯に配設され、これらの前記第２繋ぎ端子には、第２繋ぎ部と、第２溶接部と、がそれぞれ設けられ、
これらの前記第１繋ぎ部とこれらの前記第２繋ぎ部は、それぞれこれらの前記第１端子と電気的に連接し、これらの前記第１溶接部が第１経路に沿って配設され、これらの前記第２溶接部が第２経路に沿って配設され、前記第１経路と前記第２経路は互いに離間することを特徴とする請求項１９に記載のコネクタ繋ぎモジュール。
【請求項３１】
これらの前記第１繋ぎ部とこれらの前記第２繋ぎ部は、同じ直線に沿って配設されることを特徴とする請求項３０に記載のコネクタ繋ぎモジュール。
【請求項３２】
これらの前記繋ぎ端子は、複数の第１繋ぎ端子と、複数の第２繋ぎ端子と、複数の第３繋ぎ端子と、を含み、
前記複数の第１繋ぎ端子は、それぞれ第１繋ぎ部と第１溶接部の間に設けられ、
前記複数の第２繋ぎ端子は、それぞれ第２繋ぎ部と第２溶接部の間に設けられ、
前記複数の第３繋ぎ端子は、これらの前記第１繋ぎ端子およびこれらの前記第２繋ぎ端子と交錯に配設され、これらの前記第３繋ぎ端子には、第３繋ぎ部と、第３溶接部と、がそれぞれ設けられ、
これらの前記第１繋ぎ部とこれらの前記第２繋ぎ部とこれらの前記第３繋ぎ部は、それぞれこれらの前記第１端子と電気的に連接し、これらの前記第１溶接部が第１経路に沿って配設され、これらの前記第２溶接部が第２経路に沿って配設され、これらの前記第３溶接部が第３経路に沿って配設され、前記第１経路と前記第２経路と前記第３経路は互いに離間することを特徴とする請求項１９に記載のコネクタ繋ぎモジュール。
【請求項３３】
これらの前記第１繋ぎ部とこれらの前記第２繋ぎ部とこれらの前記第３繋ぎ部は、同じ直線に沿って配設されることを特徴とする請求項３２に記載のコネクタ繋ぎモジュール。
【請求項３４】
更に、金属ケースを含み、前記金属ケースは、前記第１コネクタと、前記組付子と、を覆うことを特徴とする請求項１９に記載のコネクタ繋ぎモジュール。
【考案の詳細な説明】
【技術分野】
【０００１】
本考案は、組合せ式コネクタに関し、特に、コネクタ繋ぎモジュールにより複数のコネクタを組合せ可能な組合せ式コネクタに関するものである。
【背景技術】
【０００２】
コネクタの仕様の更新速度が極めて速く、一般の電子製品は、最新仕様のコネクタを使用することにより、競争力を向上するが、旧仕様のコネクタを有しないと、ユーザの使用が不便である問題があった。
【０００３】
例えば、一般のコンピュータのマザーボードには、五種類以上のコネクタが設けられ、例えばＵＳＢなどのコネクタが五つもある。これにより、コンピュータのマザーボードにあるコネクタは、積上げ方式により相違するコネクタを組合せて利用する。
【０００４】
コンピュータのマザーボードの更新速度が極めて速く、各マザーボードに設けられるコネクタの仕様および数量が相違するので、各組合せ式コネクタにあるコネクタの仕様および数量が相違する。そうすると、一種類の組合せ式コネクタは、別の種類のマザーボードに適用することができないので、コネクタのメーカは、金型を別に製造することが必要であるので、生産コストが大幅に増加する問題があった。
【０００５】
一方、コネクタの情報伝送速度がどんどん速くなるので、端子同士の間の電磁波の干渉を回避するために、先進的なマザーボードのコネクタの端子同士は、所定以上の距離を置くことが要求される。コネクタのメーカは、このようなマザーボードに設けられる溶接ポイントに合せて、相違する組合せ式コネクタを製造することが必要であるので、生産コストが大幅に増加する問題があった。
【考案の概要】
【考案が解決しようとする課題】
【０００６】
本考案の目的は、コネクタ繋ぎモジュールにより、複数個のコネクタを組合せることができ、コネクタのメーカは、コネクタ繋ぎモジュールを変更するだけで、相違する組合の組合せ式コネクタを構成することができる組合せ式コネクタを提供することにある。
【課題を解決するための手段】
【０００７】
本考案の組合せ式コネクタによると、複数の第１端子を有する第１コネクタと、
前記第１コネクタに組合せるためのものであり、前記第１端子を収容する端子組合溝が設けられる組付子と、
前記組付子に組み付けられる繋ぎ子と、
を備え、
前記繋ぎ子は複数の繋ぎ端子を含み、前記繋ぎ端子に繋ぎ部が設けられ、前記繋ぎ部は、前記端子組合溝に収容され、前記端子組合溝内に前記第１端子と電気的に連接することを特徴とする。
【０００８】
本考案のコネクタ繋ぎモジュールによると、前記第１コネクタと前記第２コネクタを組合うためのものであり、組付子と、繋ぎ子と、を含み、前記第１コネクタは複数の第１端子を含むコネクタ繋ぎモジュールにおいて、
前記組付子は、前記第１コネクタに組合われ、これらの前記第１端子を収容する端子組合溝を有し、
前記繋ぎ子は、前記組付子に組合われ、複数の繋ぎ端子を有し、
前記繋ぎ端子に繋ぎ部が設けられ、前記繋ぎ部は、前記端子組合溝に収容され、前記第１端子と電気的に連接することを特徴とする。
【考案の効果】
【０００９】
本考案の組合せ式コネクタによれば、コネクタ繋ぎモジュールにより、複数個のコネクタを組合せることができ、コネクタのメーカは、コネクタ繋ぎモジュールを変更するだけで、相違する組合の組合せ式コネクタを構成することができるという効果を有する。
【図面の簡単な説明】
【００１０】
【図１】本考案の組合せ式コネクタ組合状態の斜視図である。
【図１Ａ】本考案の組合せ式コネクタ組合状態の斜視図である。
【図２】本考案の第１実施例の組合せ式コネクタの分解斜視図である。
【図２Ａ】本考案の組合せ式コネクタの分解斜視図である。
【図３】本考案の繋ぎ端子第１実施例の組合状態の斜視図である。
【図３Ａ】本考案の繋ぎ端子第２実施例の組合状態の斜視図である。
【考案を実施するための最良の形態】
【００１１】
以下、本考案の実施の形態を図面に基づいて説明する。
本考案は、コネクタ繋ぎモジュールに第１コネクタを組合せたときに、前記第１コネクタの端子が複数の列に分列されることを特徴とする。また、コネクタ繋ぎモジュールに第２コネクタを組合せてもよい。
【００１２】
図１を参照する。図１は本考案の組合せ式コネクタ１０００の組合状態の斜視図である。前記組合せ式コネクタ１０００は、第１コネクタ１００と、コネクタ繋ぎモジュール２００と、第２コネクタ３００と、を含む。
【００１３】
前記第１コネクタ１００と前記第２コネクタ３００とは、前記コネクタ繋ぎモジュール２００に組合せられる。金属ケース４００は、前記第１コネクタ１００と前記コネクタ繋ぎモジュール２００とを覆う。
【００１４】
本考案の組合せ式コネクタによれば、コネクタ繋ぎモジュール２００を簡単に変更するだけで、相違する種類の第１コネクタ１００と第２コネクタ３００とを組み合うことができる。図１Ａに示すように、第２コネクタ３００ａの種類は図１におけるものの種類と相違する。
【００１５】
図２及び図２のＡを参照する。前記第１コネクタ１００は、ＤＶＩでもいいし、Ｄ-ＳＵＢでもいいし、ＨＤＭＩでもいいし、ＵＳＢでもいいし、Ｅ-ＳＡＴＡでもいいし、ＲＪ４５でもよく、本考案はこれらの種類に限定されない。すなわち、前記第１コネクタ１００は、単独に稼動可能なコネクタでもよく、大幅に改修せずに本考案に適用することができるものである。
【００１６】
前記第１コネクタ１００は、第１コネクタ本体１１０と、複数の第１端子１２０と、溶接端子１３０と、を含む。これらの前記第１端子１２０は、前記第１コネクタ本体１１０内に設けられ、これらの前記第１端子１２０の組合部１２１が前記第１コネクタ本体１１０から外部に露出する。
前記コネクタ繋ぎモジュール２００は、組付子２０１と、繋ぎ子２０２と、を含む。
【００１７】
前記組付子２０１は、前記第１コネクタ１００に組合せられ、組付本体２１０が設けられ、前記組付本体２１０の上には、組合頂面２１１が設けられ、前記組合頂面２１１には、第１組合溝２１２が設けられる。前記第１コネクタ１００は前記第１組合溝２１２に収容される。前記第１組合溝２１２の底面には、第１係り溝２１２１と、端子組合溝２１２２とが設けられ、前記第１コネクタ１００が前記第１組合溝２１２に収容されるときには、前記溶接端子１３０が前記第１係り溝に係合され、これにより、前記第１コネクタ１００が前記組付子２０１と結合する。前記端子組合溝２１２２は、前記第１組合溝２１２と連通し、前記第１端子１２０の組合部１２１を収容する。
【００１８】
前記組付本体２１０の下には、組合底面２１４が設けられる。前記組合底面２１４には、第２組合溝２１５と、第３組合溝２１６と、第１定位溝２１７と、が設けられ、前記繋ぎ子２０２が前記第２組合溝２１５に収容される。前記第２組合溝２１５が前記端子組合溝２１２２と連通し、前記繋ぎ子２０２が前記第２組合溝２１５に収容される。前記第２コネクタ３００は前記第３組合溝２１６に収容される。前記第３組合溝２１６の底面には、第２定位溝２１６２が設けられ、前記第３組合溝２１６の側壁面には、規制溝２１６１が設けられる。
【００１９】
前記繋ぎ子２０２は前記組付子２０１に組合せられ、前記繋ぎ子２０２と前記組付子２０１が一体成形されたものでもよい。前記繋ぎ子２０２は、繋ぎ本体２２０と、第１定位ブロック２３０と、第２定位ブロック２４０と、複数の繋ぎ端子２６０と、を含む。
【００２０】
前記第１定位ブロック２３０と前記第２定位ブロック２４０とは、前記繋ぎ本体２２０の側壁から伸びる。前記繋ぎ子２０２が前記第２組合溝２１５に周収容されるときには、前記第１定位ブロック２３０が前記第１定位溝２１７に係合され、前記第２定位ブロック２４０が前記第２定位溝２１６２に係合される。
【００２１】
前記繋ぎ端子２６０は前記繋ぎ本体２２０を挿通し、前記繋ぎ端子２６０には、繋ぎ部２６１と、溶接部２６２と、が設けられ、前記繋ぎ部２６１が前記繋ぎ本体２２０の上面から外部に露出し、前記溶接部２６２が前記繋ぎ本体２２０の下面から外部に露出する。前記繋ぎ部２６１は、前記端子組合溝２１２２に収容され、前記端子組合溝２１２２の内部に前記第１端子１２０と電気的に連接する。前記溶接部２６２を印刷回路板に溶接することにより、前記組合せ式コネクタを固定することができる。
【００２２】
図３を参照する。図３は本考案の繋ぎ端子の第１実施例の組合状態の斜視図である。本考案の繋ぎ端子２６０は、複数の第１繋ぎ端子２６０ａと、複数の第２繋ぎ端子２６０ｂと、複数の第３繋ぎ端子２６０ｃと、から構成される。これらの前記第１繋ぎ端子２６０ａには、第１繋ぎ部２６１ａと、第１溶接部２６２ａと、がそれぞれ設けられる。これらの前記第２繋ぎ端子２６０ｂには、第２繋ぎ部２６１ｂと、第２溶接部２６２ｂと、がそれぞれ設けられる。これらの前記第３繋ぎ端子２６０ｃは、これらの前記第１繋ぎ端子２６０ａ及びこれらの前記第２繋ぎ端子２６０ｂと交錯に配列され、これらの前記第３繋ぎ端子２６０ｃには、第３繋ぎ部２６１ｃと、第３溶接部２６２ｃと、がそれぞれ設けられる。これらの前記第１繋ぎ端子２６０ａと、これらの前記第２繋ぎ端子２６０ｂと、これらの前記第３繋ぎ端子２６０ｃとは、これらの前記第１端子１２０と電気的に連接する。これらの前記第１溶接部２６２ａが第１経路Ｐ１に沿い、これらの前記第２溶接部２６２ｂが第２経路Ｐ２に沿い、これらの前記第３溶接部２６２ｃが第３経路Ｐ３に沿い、前記第１経路Ｐ１と前記第２経路Ｐ２と前記第３経路Ｐ３とは、互いに離間し、直線的に伸びる。これらの前記第１繋ぎ部２６１ａと、これらの前記第２繋ぎ部２６１ｂと、これらの前記第３繋ぎ部２６１ｃとは、一つの直線に沿って配列される。
【００２３】
これらの前記第１溶接部２６２ａと、これらの前記第２溶接部２６２ｂと、これらの前記第３溶接部２６２ｃとは、互いに離間するので、互いの電磁波の干渉を防止することができる。また、一列に配列される前記第１端子１２０を有する第１コネクタ１００は、３列に配列される端子を有するものに変更してもよい。このように、前記第１コネクタ１００を変更しない条件で、本考案のコネクタ繋ぎモジュール２００は、相違する配列形態の溶接ポイントを有する印刷回路板に合せることができ、これにより、製造コストを減少することができる。
【００２４】
図３のＡを参照する。図３のＡは本考案の繋ぎ端子２６０の第２実施例の組合状態の斜視図である。本実施例の図３における第１実施例と相違する点は、第３繋ぎ端子２６０を有しない。これにより、本考案は、繋ぎ端子２６０の配列により、相違する配列形態の溶接ポイントを有する印刷回路板に合せることができ、これにより、製造コストを減少することができる。
【００２５】
前記第２コネクタ３００は、ＤＶＩでもいいし、Ｄ-ＳＵＢでもいいし、ＨＤＭＩでもいいし、ＵＳＢでもいいし、Ｅ-ＳＡＴＡでもいいし、ＲＪ４５でもよく、本考案はこれらの種類に限定されない。すなわち、前記第１コネクタ１００は、単独に稼動可能なコネクタでもよく、大幅に改修せずに本考案に適用することができるものである。しかし、本実施形態では、第２コネクタ３００が少し改修され、これにより、コネクタ繋ぎモジュール２００に前記第２コネクタ３００を更に安定に結合することができる。しかし、別の実施例では、コネクタ繋ぎモジュール２００が少し改修され、これにより、第２コネクタ３００を改修せずに、前記コネクタ繋ぎモジュール２００に前記第２コネクタ３００を安定に結合することができる。
【００２６】
前記第２コネクタ３００は、第２コネクタ本体３１０と、規制ブロック３２０と、を含む。前記規制ブロック３２０は前記第２コネクタ本体３１０から伸びる。前記第２コネクタ３００が前記第３組合溝２１６に収容されるときには、前記規制ブロック３２０が前記規制溝２１６１に係合され、これにより、前記コネクタ繋ぎモジュール２００に前記第２コネクタ３００を固定することができる。本実施例では、前記第２コネクタ３００の前記規制ブロック３２０が変更必要の部分である。本実施例によれば、上記の変更による製造コストが少なく、従来のものよりも製造コストを大幅に減少することができる。
【００２７】
前記金属ケース４００は、前記第１コネクタ１００と、前記組付子２０１と、前記繋ぎ子２０２とを覆い、そうすると、電磁波の干渉を減少することができる。
【００２８】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【産業上の利用可能性】
【００２９】
本考案は、コネクタに適用することができる。
【符号の説明】
【００３０】
１００  第１コネクタ                １１０  第１コネクタ本体
１２０  第１端子                    １２１  組合部
１３０  溶接端子                    ２００  コネクタ繋ぎモジュール
２０１  組付子                      ２０２  繋ぎ子
２１０  組付本体                    ２１１  組合頂面
２１２  第１組合溝                  ２１４  組合底面
２１５  第２組合溝                  ２１６  第３組合溝
２１７  第１定位溝                  ２２０  繋ぎ本体
２３０  第１定位ブロック            ２４０  第２定位ブロック
２６０  繋ぎ端子                    ２６０ａ  第１繋ぎ端子
２６０ｂ  第２繋ぎ端子                ２６０ｃ  第３繋ぎ端子
２６１，２６１ａ，２６１ｂ，２６１ｃ  繋ぎ部
２６２，２６２ａ，２６２ｂ，２６２ｃ  溶接部
３００，３００ａ  第２コネクタ        ３１０  第２コネクタ本体
３２０  規制ブロック                  ４００  金属ケース
１０００  組合せ式コネクタ            ２１２１  第１係り溝
２１２２  端子組合溝                  ２１６１  規制溝
２１６２  第２定位溝                  Ｐ１    第１経路
Ｐ２    第２経路                      Ｐ３    第３経路
【図１】
0003159323.tif 000003
【図１Ａ】
0003159323.tif 000004
【図２】
0003159323.tif 000005
【図２Ａ】
0003159323.tif 000006
【図３】
0003159323.tif 000007
【図３Ａ】
0003159323.tif 000008
【手続補正書】
【提出日】平成22年3月9日(2010.3.9)
【手続補正１】
【補正対象書類名】実用新案登録請求の範囲
【補正対象項目名】請求項８
【補正方法】変更
【補正の内容】
【請求項８】
前記端子組合溝は前記第２組合溝と連通することを特徴とする請求項７に記載の組合せ式コネクタ。
【手続補正２】
【補正対象書類名】実用新案登録請求の範囲
【補正対象項目名】請求項１８
【補正方法】変更
【補正の内容】
【請求項１８】
更に、金属ケースを含み、前記金属ケースは、前記第１コネクタと、前記組付子と、を覆うことを特徴とする請求項１に記載の組合せ式コネクタ。
【手続補正３】
【補正対象書類名】実用新案登録請求の範囲
【補正対象項目名】請求項１９
【補正方法】変更
【補正の内容】
【請求項１９】
第１コネクタと第２コネクタを組合うためのものであり、組付子と、繋ぎ子と、を含み、前記第１コネクタは複数の第１端子を含むコネクタ繋ぎモジュールにおいて、
前記組付子は、前記第１コネクタに組合われ、これらの前記第１端子を収容する端子組合溝を有し、
前記繋ぎ子は、前記組付子に組合われ、複数の繋ぎ端子を有し、
前記繋ぎ端子に繋ぎ部が設けられ、前記繋ぎ部は、前記端子組合溝に収容され、前記第１端子と電気的に連接することを特徴とするコネクタ繋ぎモジュール。